(57)【要約】 【課題】  測定された体温が平熱（所定回数分の体温値の平均値）より高いか低いかを複数の使用者が個々人で容易に把握することができる電子体温計の提供。【解決手段】  本発明の電子体温計は、複数の使用者に対応して所定回数分の体温値の平均値を記憶し、測定された体温値が所定値以上の場合、その旨を表示部に表示またはアラームを発生させることを特徴とする。複数の使用者毎の所定回数分の体温値が記憶できるように切替えスイッチを設けたことを特徴とする。【選択図】  図１
2008191031.tif 000002
【特許請求の範囲】
【請求項１】
電子体温計であって、複数の使用者に対応して所定回数分の体温値の平均値を記憶し、測定された体温値が所定値以上の場合、その旨を表示部に表示またはアラームを発生させることを特徴とする電子体温計。
【請求項２】
複数の使用者毎の所定回数分の体温値が記憶できるように切替えスイッチを設けたことを特徴とする請求項１に記載の電子体温計。
【発明の詳細な説明】
【技術分野】
【０００１】
本発明は、電子体温計に関するものである。
【背景技術】
【０００２】
従来の電子体温計においては、発熱時等に測定するものであり、測定値は前回値のみ表示するようにされている（特許文献１：特開２００６−３０８５４０号公報）。
【特許文献１】特開２００６−３０８５４０号公報
【発明の開示】
【発明が解決しようとする課題】
【０００３】
しかしながらこのような電子体温計においては、測定された体温が平熱（所定回数分の体温値の平均値）より高いか低いかを複数の使用者が個々人で容易に把握することは難しいという問題がある。
【０００４】
本発明は、上記問題点に鑑みなされたものであり、測定された体温が平熱（所定回数分の体温値の平均値）より高いか低いかを複数の使用者が個々人で容易に把握することができる電子体温計を提供することを目的としている。
【課題を解決するための手段】
【０００５】
上記目的を達成するために、本発明の電子体温計は、複数の使用者に対応して所定回数分の体温値の平均値を記憶し、測定された体温値が所定値以上の場合、その旨を表示部に表示またはアラームを発生させることを特徴とする。また、複数の使用者毎の所定回数分の体温値が記憶できるように切替えスイッチを設けたことを特徴とする。
【発明の効果】
【０００６】
本発明によれば、測定された体温が平熱（所定回数分の体温値の平均値）より高いか低いかを複数の使用者が個々人で容易に把握することができる電子体温計を提供することができる。
【発明を実施するための最良の形態】
【０００７】
以下に、図面を参照して、この発明の好適な実施の形態を実測式の電子体温計を例示的に詳しく説明する。ただし、この実施の形態に記載されている構成要素はあくまで例示であり、この発明の範囲をそれらのみに限定する趣旨のものではなく、平衡温予測式の電子体温計に適用できることはいうまでもない。
【０００８】
（実施例）
＜電子体温計の構成＞
図１は、本実施形態の電子体温計１００の外観を示す図で、図１（ａ）は、平面図、図１（ｂ）は、側面図である。
【０００９】
２は、本体ケース（筐体）で、後述する演算制御部２０等の電子回路、ブザー３１、電池(電源部)４０等が収納されている。３は、ステンレス製の金属キャップで、体温測定に必要なサーミスタ１３(図２参照)等を含む温度計測部を接着剤で固定して収納している。本体ケース２と金属キャップ３は接着剤（不図示）を介して液密に接合・固定されている。
【００１０】
こうして、金属キャップ３は、サーミスタ１３を外部の衝撃等から保護し、サーミスタ１３に体温（温度）を伝熱する。金属キャップ３は、外径約３ｍｍ，厚さ約０．２，ｍｍ，全長約８ｍｍ，重量２４０〜２５０ｇで、本体ケース２の先端部での接合部の長さは、３．５ｍｍ〜５ｍｍ程度となっている。サーミスタ１３を内蔵した金属キャップ３を含む感熱部は、熱容量が０．１Ｊ／℃程度に低減されている。
【００１１】
この本体ケース（筐体）２は、スチレン系樹脂（ハイインパクトスチロール，ＡＢＳ樹脂）、ポリオレフィン系樹脂（ポリプロピレン，ポリエチレン）等で形成されて、表示部３０を覆う透明の窓部２ｄとは好ましくは二色成形で樹脂部品として形成されている。また、抗菌性を持たせるために、リン酸ジルコニウム銀化合物をほぼ１〜２．５重量％含むようにして成形してもよい。窓部２ｄは、透明樹脂であるポリスチレン、ブタジエン・スチレン共重合体等のスチレン系樹脂；ポリ−２−メチルペンテン、ポリプロピレン等のポリオレフィン系樹脂；ポリメチルメタクリレート等のアクリル系樹脂；セルロースアセテート等のセルロースエステル；ポリエチレンテレフタレート等のポリエステル等から形成される。本体ケース２の金属キャップ３の反対側には電源ＯＮ／ＯＦＦスイッチ４、切替えスイッチ４ａ、測定結果を表示する、バックライト用のＬＥＤ３０ｃ、予測モード表示部３０ａ（平衡温予測電子体温計の場合）、消音モード表示部３０ｂ、測定者表示部３０ｅを備えた表示部３０とから構成される。が設けられている。電源ＯＮ／ＯＦＦスイッチ４で電源ＯＮをした後、切替えスイッチ４ａを押すごとに測定者表示部３０ｅの表示がＡ→Ｂ→Ｃ→Ａと変わるので、所定のものを選択する。
【００１２】
図２は本実施例の電子体温計１００の構成を示す内部ブロック図である。電子体温計１００は、温度を計測しそれをデジタル値として出力する温度計測部１０と、計測された温度から予測温度を演算すると共に電子体温計１００を制御する演算制御部２０と測定結果を表示する、バックライト用のＬＥＤ３０ｃを備えた表示部３０とから構成される。
【００１３】
温度計測部１０は、並列に接続された感温部に設置されたサーミスタ１３及びコンデンサ１４と、測温用ＣＲ発振回路１１とから成り、サーミスタ１３の温度に対応するカウンタ１６のカウント量の変化に従い、温度をデジタル量として出力する。なお、温度計測部１０の構成は一例であって、これに限定するものではない。
【００１４】
演算制御部２０は、体温測定に必要なパラメータを格納したＥＥＰＲＯＭ２２ａ、計測温度を時系列で記憶するためのＲＡＭ２３、予測式などのプログラムを格納したＲＯＭ２２、表示部３０を制御するための表示制御部３０ｄ、測温用ＣＲ発振回路１１の発振信号をカウントするカウンタ１６、ＲＯＭ２２のプログラムに従いＥＥＰＲＯＭ２２ａに書かれた条件で演算を行なう演算処理部２１、カウンタ１６，演算処理部２１，表示制御部３０ｄを制御する制御回路５０とからなる。また、ＲＡＭ２３には、複数の使用者に対応して測定された体温情報を記憶する記憶部（記憶領域(1),(2),(3)）２３ａが設けられている。記憶部（(1),(2),(3)）２３ａは、使用者毎に時系列に所定回数分、例えば２０回程度記憶され、平均値も記憶されている。
【００１５】
さらに、本実施形態に特徴的な部分として、サーミスタ１３およびその周辺部の熱容量は従来の予測型電子体温計に比較し非常に小さくなっており、熱応答特性が良くなるよう構成されていることが挙げられる。ここで、周辺部の熱容量としては、サーミスタ１３を覆い、測定者の測定部位に接する金属キャップ３や、金属キャップ３とサーミスタ１３との接着材などの熱容量が含まれる。
【００１６】
（電子体温計の動作説明）
以下に、本発明の電子体温計の動作フローについて説明する。
まず、電源スイッチで電源ＯＮ／ＯＦＦスイッチ４で電源ＯＮする（ステップＳ１）と、表示部３０の全部のセグメントが点等し、初期セルフチェックが行なわれる。次に、前回測定者の平均体温が記憶部２３の記憶領域(1)から読み出され、表示部３０に表示される。この間の動作中に電源スイッチで電源ＯＮ／ＯＦＦスイッチ４を２〜３秒押し続けることで、消音モードになり、消音モード表示部３０ｂにその旨のマーク（キャラクタ）が表示される。消音モードでは、測定終了時にその旨を知らせるブザー３１を駆動しない。なお電源ＯＮ／ＯＦＦスイッチ４を２〜３秒押し続けることで、発生するブザー音を連続的に減少させるようにし、所望のブザー音に設定できるようにしてもよい。
【００１７】
次に、電子体温計１００の金属キャップ３を使用者（測定者）の測定部位、例えばワキ下に当てて、ワキを閉じると、金属キャップ３の温度が上昇し始める。実測値が３０℃以上、かつ温度上昇率が０．０３℃／０．５秒以上になった時を起点（ｔ＝０）（ステップＳ２）として、体温測定が開始される(ステップＳ３)。タイマーなどで測定開始から所定の時間（例えば３００秒）経過した時または温度上昇が所定値以下（例えば、０．５℃／秒）の時（ステップＳ４）には強制的に測定を終了させ（ステップＳ５）、記憶部２３の記憶領域(1)に新たな体温データとして更新・記憶するとともに、表示部３０に体温値として表示する。このとき平均の体温値も演算され、記憶部２３の記憶領域(1)に記憶される。また、選択された測定者を示すＡ表示が測定者表示部３０ｅに併せて表示される（ステップＳ４）。もし、発熱などで、記憶された平均の体温値（平熱）より所定値、例えば１．５℃程度以上高い場合、表示部３０のバックライト用のＬＥＤ３０ｃを赤色に点等または点滅させたり、測定終了音とは異なるブザー音で報知する（ステップＳ６）。所定値または所定範囲内（±１．０℃）にある時は、表示部３０のバックライト用のＬＥＤ３０ｃを緑色に点等または点滅させる。所定値、例えば１．０℃程度以上高い微熱のような場合、表示部３０のバックライト用のＬＥＤ３０ｃをオレンジ色に点等または点滅させたりするようにしてもよい。
【００１８】
体温値表示後、電源ＯＮ／ＯＦＦスイッチ４を押すと電源はＯＦＦされる（ステップＳ７）。電源ＯＮ／ＯＦＦスイッチ４を押し忘れても、所定秒、例えば、３０秒後に自動的に電源はＯＦＦされる。なお、体温値を表示部３０表示中に電源ＯＮ／ＯＦＦスイッチ４を２〜３秒押し続けると、消音モードを変更することができる。消音モードでは表示部３０ｂにその旨のマーク（キャラクタ）が表示される。なお、本実施例では、３人の使用者に対応した例を示したが、それ以上の使用者に対応した電子体温計とすることができる。
【００１９】
（測定者の選択のフロー）
以下に、測定者の選択のフローについて説明する。まず、電源スイッチで電源ＯＮ／ＯＦＦスイッチ４で電源ＯＮする（ステップＳ１１）と、表示部３０の全部のセグメントが点等し、初期セルフチェックが行なわれる。次に、前回測定者の平均体温が記憶部２３の記憶領域(1)から読み出され、表示部３０に表示される（ステップＳ１２）。この間の動作中に切替えスイッチ４ａを押すごとに測定者表示部３０ｅの表示がＡ→Ｂ→Ｃ→Ａと変わるので、所定の測定者を選択し確定する（ステップＳ１３）。
【図面の簡単な説明】
【００２０】
【図１】実施例に係る電子体温計である。
【図２】実施例に係る電子体温計の内部ブロック図である。
【図３】実施例に係る電子体温計の動作フローである。
【図４】実施例に係る電子体温計の動作フローである。
【符号の説明】
【００２１】
２  本体ケース、３  金属キャップ、４  電源スイッチ、４ａ  切替えスイッチ、３０  表示部、３０ｅ  測定者表示部、１００  電子体温計
【図１】
2008191031.tif 000003
【図２】
2008191031.tif 000004
【図３】
2008191031.tif 000005
【図４】
2008191031.tif 000006